(57)【要約】【課題】障子の引き残し寸法を確保できるとともに、ストッパーの破損が抑制された浴室用建具を提供する。【解決手段】浴室用建具１は、幅方向に移動可能とされ、引違い状に開閉する一対の障子３Ａ，３Ｂと、一方の障子３Ａの戸先側に設けられた引手３５と、一方の障子３Ａに設けられ、一対の障子の引き残し寸法Ｌを確保するストッパー構造５と、を備え、ストッパー構造５は、一方の障子３Ａの戸先側に設けられ、幅方向に弾性変形可能なストッパー部６０と、ストッパー部６０を一方の障子３Ａに取り付ける取付部５０と、を有し、ストッパー部６０の幅方向の一端部は、引手３５に当接し、ストッパー部６０の幅方向の他端部は、他方の障子３が開いた際に、他方の障子３Ｂと当接可能とされることを特徴とする。【選択図】図２
2020105839.tif 000002
【特許請求の範囲】
【請求項１】
幅方向に移動可能とされ、引違い状に開閉する一対の障子と、
一方の障子の戸先側に設けられた引手と、
前記一方の障子に設けられ、前記一対の障子の引き残し寸法を確保するストッパー構造と、を備え、
該ストッパー構造は、
前記一方の障子の戸先側に設けられ、前記幅方向に弾性変形可能なストッパー部と、
該ストッパー部を前記一方の障子に取り付ける取付部と、を有し、
前記ストッパー部の前記幅方向の一端部は、前記引手に当接し、
前記ストッパー部の前記幅方向の他端部は、他方の障子が開いた際に、該他方の障子と当接可能とされることを特徴とする浴室用建具。
【請求項２】
前記ストッパー部の内部には、中空部が形成されている請求項１に記載の浴室用建具。
【請求項３】
前記ストッパー構造は、前記一方の障子の上下２箇所に設けられている請求項１または２に記載の浴室用建具。
【請求項４】
前記障子は、
框体と、
該框体内に配置された重量面材と、を有する請求項１から３のいずれか一項に記載の浴室用建具。
【発明の詳細な説明】
【技術分野】
【０００１】
本発明は、浴室用建具に関するものである。
【背景技術】
【０００２】
従来から、浴室と脱衣室等との開口部には、上吊り式の引違戸等の浴室用建具が設置されている（例えば下記の特許文献１参照）。
【０００３】
このような建具では、一方の障子にストッパーを設けて、他方の障子が開いた際に、他方の障子を一方の障子のストッパーに当てて、引き残し寸法を確保するようにしている。このストッパーは、他方の障子と当接するゴム部と、ゴム部を一方の障子の框体に固定する樹脂部材からなる固定部と、を有している。
【先行技術文献】
【特許文献】
【０００４】
【特許文献１】特許第６０９３１６０号公報
【発明の概要】
【発明が解決しようとする課題】
【０００５】
上記のストッパーを備えた浴室用建具では、障子が重いと、他方の障子がストッパーに衝突する衝撃で、固定部が取り付けられている障子（一方の障子）の框体等に当接して、固定部等が破損してしまう可能性がある。
【０００６】
そこで、本発明は、上記事情に鑑みてなされたものであり、障子の引き残し寸法を確保できるとともに、ストッパーの破損が抑制された浴室用建具を提供する。
【課題を解決するための手段】
【０００７】
上記目的を達成するために、本発明は以下の手段を採用している。
すなわち、本発明に係る浴室用建具は、幅方向に移動可能とされ、引違い状に開閉する一対の障子と、一方の障子の戸先側に設けられた引手と、前記一方の障子に設けられ、前記一対の障子の引き残し寸法を確保するストッパー構造と、を備え、該ストッパー構造は、前記一方の障子の戸先側に設けられ、前記幅方向に弾性変形可能なストッパー部と、該ストッパー部を前記一方の障子に取り付ける取付部と、を有し、前記ストッパー部の前記幅方向の一端部は、前記引手に当接し、前記ストッパー部の前記幅方向の他端部は、他方の障子が開いた際に、該他方の障子と当接可能とされることを特徴とする。
【０００８】
このように構成された浴室用建具では、他方の障子が開いた際に、他方の障子は、一方の障子の戸先側に設けられたストッパー部の幅方向の他端部に当接する。ストッパー部は幅方向に弾性変形可能であるため、ストッパー部に他方の障子が当接した衝撃により、ストッパー部は幅方向に弾性変形して、衝撃が吸収される。また、ストッパー部の幅方向の一端部は引手に当接しているため、引手でも衝撃が吸収される。よって、他方の障子の衝撃が吸収されるため、ストッパー部を一方の障子に取り付けるための取付部等が破損することがない。
また、ストッパー部の一端部から他端部までの長さが、障子の引き残し寸法として確保される。
【０００９】
また、本発明に係る浴室用建具は、前記ストッパー部の内部には、中空部が形成されていることが好ましい。
【００１０】
このように構成された浴室用建具では、ストッパー部の内部には中空部が形成されているため、ストッパー部は変形しやすく、他方の障子の衝撃が確実に吸収される。
【００１１】
また、本発明に係る浴室用建具では、前記ストッパー構造は、前記一方の障子の上下２箇所に設けられていてもよい。
【００１２】
このように構成された浴室用建具では、ストッパー構造は一方の障子の上下２箇所に設けられているため、他方の障子の衝撃が上下２箇所に分散して吸収される。
【００１３】
また、本発明に係る浴室用建具では、前記障子は、框体と、該框体内に配置された重量面材と、を有していてもよい。
【００１４】
このように構成された浴室用建具では、障子の框体内には重量面材が配置されているため障子自体の自重が重い。このように自重が重い障子を備えた建具においても、他方の障子の衝撃が吸収され、取付部等が破損することがない。
【発明の効果】
【００１５】
本発明に係る浴室用建具によれば、障子の引き残し寸法を確保できるとともに、ストッパーの破損が抑制される。
【図面の簡単な説明】
【００１６】
【図１】本発明の一実施形態に係る浴室用建具を備えた浴室ユニットの斜視図である。
【図２】本発明の一実施形態に係る浴室用建具の水平断面図である。
【図３】本発明の一実施形態に係る浴室用建具の一方の障子に設けられたストッパー構造を示す斜視図である。
【図４】図２のＡ−Ａ線断面図である。
【図５】本発明の一実施形態に係る浴室用建具の下枠を浴室ユニット側から見た斜視図である。
【図６】本発明の一実施形態に係る浴室用建具の下枠の分解斜視図の一部である。
【図７】図５のＢ−Ｂ線断面図である。
【図８】本発明の一実施形態に係る浴室用建具の障子と下枠との止水構造を示す斜視図である。
【図９】本発明の一実施形態に係る浴室用建具の障子の障子止水ユニットの分解斜視図である。
【図１０】図８のＣ−Ｃ線断面図である。
【図１１】本発明の一実施形態に係る浴室用建具の障子を下方から見た図である。
【発明を実施するための形態】
【００１７】
本発明の一実施形態に係る浴室用建具について、図面を用いて説明する。
以下では、浴室用建具が設置された浴室ユニットを例に説明するが、浴室用建具は浴室ユニットに限らず、在来工法により施工された浴室においても適用可能である。
図１は、本発明の一実施形態に係る浴室用建具を備えた浴室ユニットの斜視図である。
図１に示すように、浴室ユニット１００は、建物の躯体内にフレームとパネルとを用いて、床１０１、壁１０２、天井（不図示）、浴槽１０４及び洗い場１０５等を組み立てて設置される。浴槽１０４と洗い場１０５との境界部分には、浴槽１０４の側面を覆うエプロン１０６が設けられている。浴室ユニット１００内の空間は、３方に立設された複数の壁１０２（図１では２方のみ示している）及び浴室用建具１により形成されている。
【００１８】
浴室ユニット１００の複数の壁１０２のうち、一の壁１０２Ａには、シャワー器具１１１、水栓１１２及び鏡１１３等が設けられている。
【００１９】
浴室用建具１は、浴室ユニット１００と洗面所１２０との間の開口部Ｗに設置されている。
以下の説明において、開口部Ｗに設けられた浴室用建具１を見たときに、左側と右側とを結ぶ方向を幅方向とし、上側と下側とを結ぶ方向を上下方向とする。また、障子における幅方向の中心側に向かう側と幅方向の内側と称し、反対側を幅方向の外側と称する。また、幅方向に直交する水平方向を奥行方向とする。奥行方向のうち、浴室ユニット１００側を奥側とし、洗面所１２０側を手前側とする。
【００２０】
浴室用建具１は、枠体２と、一対の障子３Ａ，３Ｂと、を備えている。
枠体２は、開口部Ｗに設けられ、四角形枠状に形成されている。枠体２は、幅方向に延在する上枠２１及び下枠２２と、上枠２１の幅方向の両端部と下枠２２の幅方向の両端部とをそれぞれ連結し上下方向に延在する縦枠２３と、を有している。本実施形態では、枠体２は、アルミ形材で構成されている。縦枠２３は、幅方向両側の壁（不図示）に螺子等で固定されている。
【００２１】
障子３Ａ，３Ｂは互いに幅方向に移動可能とされ、引違い状に開閉可能とされている。障子３Ａは、奥側に配置されている。障子３Ｂは、手前側に配置されている。以下の説明において、障子３を総称して、障子３と称することがある。
各障子３は、框体３０と、ガラス（重量面材）３９と、を有している。
【００２２】
框体３０は、四角形枠状に形成されている。框体３０は、幅方向に延在する上框３１及び下框３２と、上框３１の戸先側の端部と下框３２の戸先側の端部とを連結し上下方向に延びる戸先框３３と、上框３１の召合せ側の端部と下框３２の召合せ側の端部とを連結し上下方向に延びる召合せ框３４と、を有している。本実施形態では、框体３０は、アルミ形材で構成されている。
【００２３】
上框３１には、吊り車（不図示。以下同じ。）が設けられている。吊り車が、上枠２１に支持されて、障子３は上枠２１の長手方向（幅方向）の走行可能に設けられている。障子３Ａ，３Ｂは、引違い状に開閉可能とされている。
【００２４】
図２は、浴室用建具１の水平断面図である。
図２に示すように、戸先框３３の奥行方向の両側には、引手３５がそれぞれ設けられている。換言すると、引手３５は、戸先框３３の奥行方向の手前側の面３３ａから手前側に延びている。また、引手３５は、戸先框３３の奥行方向の奥側の面３３ｂから奥側に延びている。
【００２５】
図１に示すように、ガラス３９は、框体３０内に設けられている。本実施形態では、重量面材として強化ガラス等のガラス３９が採用されているが、他にも鋼板パネルであってもよい。また、一対の障子４のうち一方をガラスとして、他方を鋼板パネルとして目隠しできるようにしてもよい。なお、框体３０内に、重量面材に替えて樹脂パネルが設けられていてもよい。
【００２６】
次に、障子（一方の障子）３Ａに設けられたストッパー構造５について説明する。
ストッパー構造５は、障子３Ａ，３Ｂの引き残し寸法を確保するためのものである。ストッパー構造５は、障子３Ａの上框３１の上端部及び下框３２の下端部３ｂ（図２参照。以下同じ。）にそれぞれ設けられている。
以下の説明において、障子３Ａの下框３２の下端部３ｂに設けられたストッパー構造５について説明する。障子３Ａの上框３１の上端部に設けられたストッパー構造５は、下框３２の下端部３ｂに設けられたストッパー構造５と同様の構成であり、説明を省略する。
【００２７】
まず、障子３Ａの下端部の構成について説明する。
図３は、ストッパー構造５を示す斜視図である。
図３に示すように、障子３Ａの戸先框３３の面３３ａは、下框３２における手前側を向く面３２ａよりも手前側に配置されている。
【００２８】
ストッパー構造５は、取付部５０と、ストッパー部６０と、を有している。ストッパー構造５は、下框３２の下端部３ｂであって、戸先框３３側に設けられている。
【００２９】
取付部５０は、ケース部５１と、係止部５２（図４参照。以下同じ。）と、を有している。
図４は、図２のＡ−Ａ線断面図である。
図３及び図４に示すように、ケース部５１は、幅方向に延びる略角筒状に形成されている。図３に示すように、ケース部５１の幅方向の外側且つ奥側には、幅方向の内側且つ手前側に凹む凹部５１１が形成されている。
【００３０】
図４に示すように、係止部５２は、ケース部５１における奥側を向く壁部５１２に設けられている。係止部５２は、ケース部５１の壁部５１２から奥側に向かって延びる挿通壁部５２１と、挿通壁部５２１の奥側の端部から上下両側に延びる係止壁部５２２と、を有している。
【００３１】
下框３２は、板面部３３１を有している。板面部３３１は、板状に形成されている。板面部３３１は、板厚方向を奥行方向に向けて配置されている。板面部３３１は、奥行方向の手前側に配置されている。板面部３３１の手前側を向く面が、面３３ａとされている。板面部３３１には、奥行方向に貫通する取付孔３３２が形成されている。
【００３２】
係止部５２の挿通壁部５２１は、下框３２の取付孔３３２に配置されている。係止部５２の係止壁部５２２は、下框３２の板面部３３１の奥側を向く面３３ｃに沿って配置されている。取付部５０の壁部５１２と係止壁部５２２との間に、下框３２の板面部３３１が挟み込まれている。このようにして、取付部５０は、下框３２に取り付けられている。
【００３３】
図３に示すように、ストッパー部６０は、ケース部５１の内部に配置されるとともに、幅方向の両側がケース部５１から突出している。ストッパー部６０は、例えば合成ゴム等の材料で構成されている。ストッパー部６０は、幅方向に弾性変形可能とされている。
【００３４】
図４に示すように、ストッパー部６０におけるケース部５１内に配置される部分の外形は、ケース部５１の内部形状に対応した形状をなしている。換言すると、ストッパー部６０は、ケース部５１に内嵌されている。ストッパー部６０には、奥側から手前側に向かって凹む中空部６１が形成されている。
【００３５】
図３に示すように、ストッパー部６０における幅方向の外側の部分は、ケース部５１よりも突出している。これにより、戸先框３３及び引手３５にはストッパー部６０が当接していて、ケース部５１が戸先框３３及び引手３５に当接することがない。換言すると、ケース部５１と戸先框３３及び引手３５との間には、ストッパー部６０が介在している。
【００３６】
ストッパー部６０の幅方向の外側の端部（幅方向の一端部）６０ａは、引手３５における幅方向の内側を向く面３５ａに当接している。
【００３７】
図２に示すように、ストッパー部６０の幅方向の内側の端部（幅方向の他端部）６０ｂは、障子（他方の障子）３Ｂが開いた際（二点鎖線参照）に、障子３Ｂの召合せ框３４に当接する。障子３Ｂが開いた際に、障子３Ａの引手３５から障子３Ｂの召合せ框３４までの距離、つまりストッパー部６０の端部６０ａから端部６０ｂまでの距離が、引き残し寸法Ｌとされている。
【００３８】
また、障子３Ｂが閉じていて、障子３Ａが開いた際（二点鎖線参照）に、ストッパー部６０の端部６０ｂは、障子３Ｂの召合せ框３４に当接する。障子３Ａが開いた際に、障子３Ａの引手３５から障子３Ｂの召合せ框３４までの距離が、引き残し寸法Ｌとされている。
【００３９】
次に、下枠２２の構成について説明する。
図５は、下枠２２を奥側から見た斜視図である。図６は、下枠２２の分解斜視図の一部である。
図６に示すように、下枠２２は、下枠本体２２０と、ガイドレール２３０と、を有している。
【００４０】
図５に示すように、下枠本体２２０は、開口部Ｗ（図１参照。以下同じ。）の幅方向の長さと略同一長さで形成されている。ガイドレール２３０は、複数のガイドレール部材２３０Ａが幅方向に隣り合って配置され、隣り合うガイドレール部材２３０Ａの間に連結部材２３０Ｂが設けられて構成されている。
【００４１】
図７は、図５のＢ−Ｂ線断面図である。
図７に示すように、下枠本体２２０は、下枠板部２２１と、下向き壁部２２２と、延出壁部２２３と、係止壁部２２４と、手前側壁部２２５と、を有している。
【００４２】
下枠板部２２１は、板状に形成されている。下枠板部２２１は、板厚方向を上下方向に向けて配置されている。
【００４３】
下向き壁部２２２は、下枠板部２２１の奥側の端部から下方に延びている。延出壁部２２３は、下向き壁部２２２の下端部から奥側に延びている。
【００４４】
係止壁部２２４は、下枠板部２２１の奥行方向の中間から上方に延びている。係止壁部２２４の上端部には、手前側に向かって突出する突起２２４ａが設けられている。手前側壁部２２５は、下枠板部２２１の手前側の端部から上方に延びている。
【００４５】
図６に示すように、ガイドレール２３０は、ガイドレール本体２３１と、エンドキャップ２４０と、を有している。
【００４６】
ガイドレール本体２３１は、ガイド板部２３２を有している。ガイド板部２３２は、板状に形成されている。ガイド板部２３２は、板厚方向を上下方向に向けて配置されている。
【００４７】
図７に示すように、ガイド板部２３２には、下方に凹む凹溝２３３，２３４が形成されている。凹溝２３３は、凹溝２３４よりも手前側に配置されている。凹溝２３３，２３４内には、それぞれ障子３Ｂ，３Ａの下端部が幅方向に移動可能に配置されている。
【００４８】
ガイド板部２３２の手前側の端部近傍には、下方に向かって延びる設置壁部２３５が設けられている。設置壁部２３５の下端部は、下枠本体２２０の下枠板部２２１上に設置されている。
【００４９】
図６に示すように、エンドキャップ２４０は、ガイドレール本体２３１の幅方向の端部に設けられている。図７に示すように、エンドキャップ２４０は、エンド部（図６参照。以下同じ。）２４１と、挿入壁部２４２と、上面板部２４３と、と、を有している。
【００５０】
図６に示すように、エンド部２４１は、ガイドレール本体２３１の幅方向の端部に設けられている。エンド部２４１と縦枠２３との間には、奥側への排水を可能とする隙間（不図示。以下同じ。）が形成されている。
【００５１】
図７に示すように、挿入壁部２４２は、エンド部２４１から幅方向の内側に延びている。挿入壁部２４２は、ガイドレール本体２３１のガイド板部２３２の下面に沿って配置されている。
【００５２】
上面板部２４３は、エンド部２４１から幅方向の内側に延びている。上面板部２４３は、ガイドレール本体２３１の凹溝２３４の底部２３６の上面に沿って配置されている。挿入壁部２４２と上面板部２４３とにより、ガイドレール本体２３１は上下方向に挟み込まれている。これにより、エンドキャップ２４０は、ガイドレール本体２３１に取り付けられている。
【００５３】
エンド部２４１には、下方に向かって延びる下向き係止部２４１ａが設けられている。係止部２４１ａは、下枠本体２２０の係止壁部２２４の突起２２４ａに係止されている。これにより、エンドキャップ２４０は、下枠本体２２０に係止されている。
【００５４】
次に、障子３Ａと下枠２２との止水構造について説明する。
図８は、障子３Ａと下枠２２との止水構造を示す斜視図である。
図５に示すように、下枠２２には、下枠止水部材２５が設けられている。下枠止水部材２５は、下枠２２の幅方向の略中央に配置されている。詳細には、図８に示すように、障子３Ａが閉じた際に、障子３Ａの召合せ框３４が配置される箇所の直下に配置されている。
【００５５】
下枠止水部材２５は、上面止水壁部２５１と、折曲止水壁部２５２と、を有している。上面止水壁部２５１は、下枠２２のガイドレール２３０のガイド板部２３２の上面に沿って配置されている。折曲止水壁部２５２は、上面止水壁部２５１の奥側の端部から下方に向かって延びている。折曲止水壁部２５２は、ガイドレール２３０の凹溝２３４の奥側を向く面に沿って配置されている。下枠止水部材２５は、例えば合成樹脂や合成ゴム等により構成されている。
【００５６】
障子３Ａの召合せ框３４の下端部には、障子止水ユニット２６が設けられている。
【００５７】
図９は、障子３Ａの障子止水ユニットの分解斜視図である。図１０は、図８のＣ−Ｃ線断面図である。
図９に示すように、障子止水ユニット２６は、止水部材２６０と、カバー２７０と、を有している。
【００５８】
止水部材２６０は、シート状に形成されている。図１０に示すように、止水部材２６０は、厚さ方向を幅方向に向けて配置されている。止水部材２６０は、召合せ框３４の幅方向外側を向く面３４ａに沿って配置されている。
【００５９】
止水部材２６０の下端部２６０ｂは、下枠止水部材２５の上面止水壁部２５１の上面に当接している。図９に示すように、止水部材２６０には、幅方向に貫通する係止孔２６１が形成されている。
【００６０】
カバー２７０は、厚さ方向を幅方向に向けて配置されている。カバー２７０は、止水部材２６０の幅方向の外側に沿って配置されている。カバー２７０は、止水部材２６０を覆うように配置されている。
【００６１】
カバー２７０には、止水部材２６０側に向かって突出する係止突起２７１が形成されている。係止突起２７１は、止水部材２６０の係止孔２６１に係止されている。
【００６２】
カバー２７０には、幅方向に貫通する取付孔２７２が形成されている。取付孔２７２は、上下方向に長い長孔形状をなしている。
【００６３】
取付孔２７２に挿通された螺子２７９は、障子３Ａの召合せ框３４の面３４ａに形成された取付孔３４１に螺合されている。カバー２７０の係止突起２７１に止水部材２６０の係止孔２６１は係止されているため、止水部材２６０はカバー２７０と召合せ框３４との間に挟み込まれて固定されている。
【００６４】
カバー２７０の取付孔２７２は、螺子２７９の軸の大きさに対して上下方向に長い。このため、カバー２７０及びカバー２７０に係止された止水部材２６０の召合せ框３４に対する上下方向の相対位置を調整することができる。
【００６５】
図１１は、障子３Ａを下方から見た図である。
カバー２７０の奥側には、下方に延びる下向き壁部２７３が設けられている。図１１に示すように、下向き壁部２７３の奥側の端部には、幅方向の内側に向かって延びる第一折曲壁部２７４が設けられている。第一折曲壁部２７４の幅方向の内側の端部には、手前側に向かって延びる第二折曲壁部２７５が設けられている。
【００６６】
下向き壁部２７３、第一折曲壁部２７４及び第二折曲壁部２７５により、奥側に凹む凹溝２７６が形成されている。
【００６７】
図９に示すように、召合せ框３４の下端部には、框下部キャップ２８０が設けられている。框下部キャップ２８０は、召合せ框３４の下面に沿って配置される下面キャップ部２８１を有している。
【００６８】
図１１に示すように、下面キャップ部２８１の奥側には、下方に向かって突出する突出壁部２８２が設けられている。突出壁部２８２の幅方向の外側の端部には、手前側に向かって延びる第一折曲キャップ部２８３が設けられている。第一折曲キャップ部２８３の手前側の端部には、幅方向の外側に向かって延びる第二折曲キャップ部２８４が設けられている。第二折曲キャップ部２８４の幅方向の外側の端部には、奥側に向かって延びる第三折曲キャップ部２８５が設けられている。
【００６９】
第一折曲キャップ部２８３、第二折曲キャップ部２８４及び第三折曲キャップ部２８５により、手前側に凹む凹溝２８６が形成されている。
【００７０】
カバー２７０の凹溝２７６には、框下部キャップ２８０の第三折曲キャップ部２８５が係止されている。第三折曲キャップ部２８５とカバー２７０の下向き壁部２７３との間には、止水部材２６０が挟み込まれている。
【００７１】
框下部キャップ２８０の凹溝２８６には、カバー２７０の第二折曲壁部２７５が係止されている。
【００７２】
換言すると、カバー２７０の第二折曲壁部２７５と框下部キャップ２８０の第三折曲キャップ部２８５とは、幅方向に移動不能に互いに係止されている。
【００７３】
このように構成された浴室用建具１では、障子３Ｂが開いた際に、障子３Ｂは、障子３Ａの戸先框３３側に設けられたストッパー部６０の端部６０ｂに当接する。ストッパー部６０は幅方向に弾性変形可能であるため、ストッパー部６０に障子３Ｂが当接した衝撃により、ストッパー部６０は幅方向に弾性変形して、衝撃が吸収される。また、ストッパー部６０の端部６０ａは引手３５に当接しているため、引手３５でも衝撃が吸収される。よって、障子３Ｂの衝撃が吸収されるため、ストッパー部６０を障子３Ａに取り付けるための取付部５０等が破損することがない。
【００７４】
また、ストッパー部６０の端部６０ａから端部６０ｂまでの長さが、障子３Ａ，３Ｂの引き残し寸法Ｌとして確保される。
【００７５】
また、ストッパー部６０の内部には中空部６１が形成されているため、ストッパー部６０は変形しやすく、障子３Ｂの衝撃が確実に吸収される。
【００７６】
また、ストッパー構造５は障子３Ａの上下２箇所に設けられているため、障子３Ｂの衝撃が上下２箇所に分散して吸収される。
【００７７】
また、障子３Ａ，３Ｂの框体３０内にはガラス３９が配置されているため障子３Ａ，３Ｂ自体の自重が重い。このように自重が重い障子３Ａ，３Ｂを備えた建具１においても、障子３Ｂの衝撃が吸収され、取付部５０等が破損することがない。
【００７８】
また、掃除等の際に、ガイドレール２３０の係止部２４１ａと下枠本体２２０の係止壁部２２４の突起２２４ａとの係止を解除することで、ガイドレール２３０を下枠本体２２０から取り外すことができる。下枠本体２２０の下枠板部２２１は板状に形成されているため、掃除がしやすい。
【００７９】
また、カバー２７０の第二折曲壁部２７５と框下部キャップ２８０の第三折曲キャップ部２８５とは幅方向に移動不能に互いに係止されているとともに、第三折曲キャップ部２８５とカバー２７０の下向き壁部２７３との間に止水部材２６０が挟み込まれている。よって、障子３Ａが幅方向に移動しても、止水部材２６０が捲れたり外れたりすることが抑制される。
【００８０】
なお、本発明に係る浴室用建具１は、上述した実施形態に限定されるものではなく、本発明の要旨を逸脱しない範囲で適宜の変更や置換等が可能である。
【００８１】
例えば、上記に示す実施形態では、ストッパー部６０の内部には、奥側から手前側に向かって凹む中空部６１が形成されているが、本発明はこれに限られない。中空部の形状は適宜設定可能でありストッパー部６０が幅方向に延びる筒状に形成されることにより内部に中空部が形成されていてもよく、あるいはストッパー部６０の内部に中空部が形成されていなくてもよい。
【００８２】
また、上記に示す実施形態では、ストッパー構造５は障子３Ａの上下２箇所に設けられているが、本発明はこれに限られず、上下１箇所は３箇所以上に設けられていてもよい。また、ストッパー構造５が設けられる上下方向の位置が適宜設定可能であり、上下方向の中間部に設けられていてもよい。
【符号の説明】
【００８３】
１…浴室用建具
２…枠体
３，３Ａ，３Ｂ…障子
５…ストッパー構造
２１…上枠
２２…下枠
２３…縦枠
３０…框体
３１…上框
３２…下框
３３…戸先框
３４…召合せ框
３５…引手
３９…ガラス（重量面材）
５０…取付部
６０…ストッパー部
６１…中空部
１００…浴室ユニット
１０１…床
１０４…浴槽
１０５…洗い場
１２０…洗面所
Ｗ…開口部
【図１】
2020105839.tif 000003
【図２】
2020105839.tif 000004
【図３】
2020105839.tif 000005
【図４】
2020105839.tif 000006
【図５】
2020105839.tif 000007
【図６】
2020105839.tif 000008
【図７】
2020105839.tif 000009
【図８】
2020105839.tif 000010
【図９】
2020105839.tif 000011
【図１０】
2020105839.tif 000012
【図１１】
2020105839.tif 000013